(57)【特許請求の範囲】
【請求項１】
ユーザにより、予め特定色の指定を受け付ける操作部と、
前記操作部でユーザから指定を受けた特定色の測定用パッチを所定のタイミングで画像形成する画像形成部と、
前記画像形成部により前記測定用パッチが画像形成されると、自動的に前記測定用パッチの色を測定する測定部と、
前記特定色と、前記測定部が測定した測定用パッチの色との色差が許容範囲か否かを判定する判定部と、
前記判定部により前記色差が許容範囲でないと判定された場合に、所定の色再現特性となるように前記画像形成部を調整する安定化制御を行う、または、ユーザに対して前記色差が許容範囲でないことを報知する実行部と、
を備え、
前記画像形成部により、前記特定色を基準に色を異ならせた複数のサンプル画像を記録紙に画像形成し、
前記記録紙に画像形成された複数のサンプル画像を基に前記許容範囲の設定入力を前記操作部で受け付ける
ことを特徴とする画像形成装置。
【請求項２】
画像データを記憶する記憶部と、
前記画像データに対応する画像を表示する表示部と、
をさらに備え、
前記特定色は、前記表示部に表示された画像の一部をユーザが選択することによって指定される
ことを特徴とする請求項１に記載の画像形成装置。
【請求項３】
前記特定色は、ユーザによって指定された所定の色について、明るさ、コントラストおよびカラーバランスの少なくとも１つをユーザが調整することにより指定される
ことを特徴とする請求項１または２に記載の画像形成装置。
【請求項４】
前記操作部でユーザから特定色の仮指定を受け付け、
その特定色に仮指定された色を、前記安定化制御を実施後の画像形成部によって記録紙に画像形成させ、
前記記録紙に特定色が画像形成されたことの確認をユーザから受けることにより前記仮指定された色を特定色に確定する
ことを特徴とする請求項１乃至３のいずれか１つに記載の画像形成装置。
【請求項５】
前記所定のタイミングは、前記特定色で画像形成する直前を含む
ことを特徴とする請求項１乃至４のいずれか１つに記載の画像形成装置。
【請求項６】
前記特定色での画像形成が連続する場合、その連続回数が規定回数を超えると測定用パッチを画像形成する
ことを特徴とする請求項５に記載の画像形成装置。
【請求項７】
前記所定のタイミングは、ユーザが指定するタイミングである
ことを特徴とする請求項１乃至４のいずれか１つに記載の画像形成装置。
【請求項８】
前記実行部は、ユーザに対して前記色差が許容範囲でないことを報知する場合、画像形成を中断してユーザに対して報知する
ことを特徴とする請求項１乃至５のいずれか１つに記載の画像形成装置。
【発明の詳細な説明】
【技術分野】
【０００１】
本発明は、特定色の色ずれを検出する画像形成装置に関する。
【背景技術】
【０００２】
従来、カラープリンタなどが印刷を行う際に、ユーザが求める画像とは、微妙に色相が異なった画像が出力されてしまうことがある。その原因としては、カラー画像出力装置自体の個体差、環境変化、および経時的な変動など、出力条件の差が挙げられる。厳密に定められた色が要求されている場合、色相のずれ（色ずれ）が発生した紙は印刷不良紙になってしまう可能性がある。そのためハードコピー（紙への出力）の色違いや濃度差をなくすため、予めプリンタなどの色再現性を校正する多くの技術が提案されている。
【０００３】
たとえば、出力する画像の中で使用頻度の高い色について色再現性を校正（キャリブレーション）する方法（特許文献１参照）や、ＲＧＢ信号で入力された画像の色をハードコピーの際に調整、変換して出力する方法（特許文献２参照）や、濃度が低いグレーを正確に印刷する方法（特許文献３参照）などが提案されている。
【先行技術文献】
【特許文献】
【０００４】
【特許文献１】特開２００２−１１８７６３号公報
【特許文献２】特開２００６−０３０９９８号公報
【特許文献３】特開２００５−２８８８０２号公報
【特許文献４】特開２００８−１４８００７号公報
【発明の概要】
【発明が解決しようとする課題】
【０００５】
ところで、企業のロゴやデザインマークなどに使用されるコーポレートカラーは、その企業、そのデザインを識別するための構成要素として厳密に定められたものであるので、それが特殊な色であっても厳密に定められた色になるように出力することが望ましい。しかし、上記の特許文献１、特許文献２、特許文献３、に開示の方法では、画像の中で使用頻度の高い色等を基準に色再現性の校正を行うため、ユーザが指定する特定色を厳密に再現することができない。
【０００６】
なお、コーポレートカラーを正確な色で出力する方法として、読み込んだ画像データの中から企業ロゴや、デザインマークを構成する所定の図形を検出すると、その図形の色を、予め記憶させた色で印刷する方法（特許文献４参照）がある。しかし、これは画像データ内の特定の箇所の色を予め記憶してある色に変換して出力するものであり、色再現性の校正を行うものではない。
【０００７】
本発明は、上記の問題を解決しようとするものであり、ユーザの指定する特定色の色ずれを検出し、警告または、安定化制御を行う画像形成装置、を提供することを目的としている。
【課題を解決するための手段】
【０００８】
かかる目的を達成するための本発明の要旨とするところは、次の各項の発明に存する。
【０００９】
［１］ユーザにより、予め特定色の指定を受け付ける操作部と、
前記操作部でユーザから指定を受けた特定色の測定用パッチを所定のタイミングで画像形成する画像形成部と、
前記画像形成部により前記測定用パッチが画像形成されると、自動的に前記測定用パッチの色を測定する測定部と、
前記特定色と、前記測定部が測定した測定用パッチの色との色差が許容範囲か否かを判定する判定部と、
前記判定部により前記色差が許容範囲でないと判定された場合に、所定の色再現特性となるように前記画像形成部を調整する安定化制御を行う、または、ユーザに対して前記色差が許容範囲でないことを報知する実行部と、
を備え、
前記画像形成部により、前記特定色を基準に色を異ならせた複数のサンプル画像を記録紙に画像形成し、
前記記録紙に画像形成された複数のサンプル画像を基に前記許容範囲の設定入力を前記操作部で受け付ける
ことを特徴とする画像形成装置。
【００１０】
上記発明では、ユーザが指定した特定色の測定用パッチを画像形成し、その色を測定する。これにより、ユーザが指定した特定色と、測定用パッチとの色ずれが発生した場合に、その色ずれ（色差）を検知し、特定色の色ずれによる印刷不良紙の発生予防に貢献することができる。ユーザの指定する特定色は単数色でも複数色でもよい。測定用パッチ画像は記録紙上または、中間転写ベルト上や、感光体ドラム上に画像形成される。
上記発明では、測定用パッチと特定色との色ずれの許容範囲をユーザが決定する。該許容範囲を決めるための基準として、明るさや濃度などを特定色からわずかづつずらした複数のサンプルを記録紙に画像出力し、ユーザはこれを参照して許容範囲を決定する。色の明るさや、濃度などをずらす幅は、適宜設定すればよい。
［２］画像データを記憶する記憶部と、
前記画像データに対応する画像を表示する表示部と、
をさらに備え、
前記特定色は、前記表示部に表示された画像の一部をユーザが選択することによって指定される
ことを特徴とする［１］に記載の画像形成装置。
［３］前記特定色は、ユーザによって指定された所定の色について、明るさ、コントラストおよびカラーバランスの少なくとも１つをユーザが調整することにより指定される
ことを特徴とする［１］または［２］に記載の画像形成装置。
【００１３】
［４］前記操作部でユーザから特定色の仮指定を受け付け、
その特定色に仮指定された色を、前記安定化制御を実施後の画像形成部によって記録紙に画像形成させ、
前記記録紙に特定色が画像形成されたことの確認をユーザから受けることにより前記仮指定された色を特定色に確定する
ことを特徴とする［１］乃至［３］のいずれか１つに記載の画像形成装置。
【００１４】
上記発明では、ユーザが特定色を決定する際に、安定化制御を実施後に画像出力した記録紙上の特定色を参考にする。この方法で特定色を決定することにより、画像形成部の色再現性が変化して色ずれが発生してしまった場合でも、安定化制御を実施すれば画像形成部の色再現性が特定色決定時まで回復するので、安定化制御を実施することにより特定色の色ずれを解消することができる。
【００１７】
［５］前記所定のタイミングは、前記特定色で画像形成する直前を含む
ことを特徴とする［１］乃至［４］のいずれか１つに記載の画像形成装置。
【００１８】
上記発明では、ユーザの指定する特定色を印刷する直前に特定色の色ずれ検出を行い、色ずれが発生しているか否かを調べることで、特定色の色ずれによる印刷不良紙の発生予防に貢献することができる。特定色を印刷する直前に色ずれを検出することで、特定色を精度良く印刷することができる。
【００１９】
［６］前記特定色での画像形成が連続する場合、その連続回数が規定回数を超えると測定用パッチを画像形成する
ことを特徴とする［５］に記載の画像形成装置。
【００２０】
上記発明では、ユーザの指定する特定色を印刷する直前に色ずれ検出を毎回行うとすると、該特定色を含む印刷が連続したときには、毎回色ずれ検出を行うことになってしまう。そこで、該特定色を含む印刷が連続する場合は、その連続印刷回数が規定の回数を超えるまでは色ずれ検出を行わないことで、色ずれ検出の回数を最適化し、減らすことができる。規定の回数とは、大きな色ずれが生じないと想定される上限回数であり、固定的に定めてもよいし。ユーザにより設定が可能であってもよい。また環境に応じて動的に変更してもよい。なお、高温多湿な環境であると、色ずれが発生しやすいので、規定回数を少なくするほうがよい。
【００２１】
［７］前記所定のタイミングは、ユーザが指定するタイミングである
ことを特徴とする［１］乃至［４］のいずれか１つに記載の画像形成装置。
【００２２】
［８］前記実行部は、ユーザに対して前記色差が許容範囲でないことを報知する場合、前記画像形成を中断してユーザに報知する
ことを特徴とする［１］乃至［５］のいずれか１つに記載の画像形成装置。
【発明の効果】
【００２３】
本発明に係る画像形成装置によれば、ユーザの指定する特定色の色ずれを検出することにより、その特定色の色ずれによる印刷不良紙の発生予防に貢献することができる。
【図面の簡単な説明】
【００２４】
【図１】本発明の実施の形態に係る画像形成装置と調整カラーサンプルを示す説明図である。
【図２】本発明の実施の形態に係る画像形成装置の概略構成を示すブロック図である。
【図３】本発明の実施の形態に係る特定色の色再現性の校正に係る設定の流れを示す流れ図である。
【図４】特定色の設定の動作の流れを示す流れ図である。
【図５】特定色の設定画面の一例を示す説明図である。
【図６】特定色の色ずれ検出と、色ずれ検出後の動作に係る設定の流れを示す流れ図である。
【図７】閾値を決定する画面表示の一例を示す説明図である。
【図８】閾値を決定するための、閾値決定サンプルを示す説明図である。
【図９】特定色の色ずれ検出と、色ずれ検出後の動作に係る設定画面の一例を示す説明図である。
【図１０】本発明の実施の形態に係る特定色の色再現性の校正に係る設定の流れを示す流れ図である。
【発明を実施するための形態】
【００２５】
以下、図面に基づき本発明の実施の形態を説明する。
【００２６】
図１は、本発明の実施の形態に係る画像形成装置１０と、この画像形成装置１０の色調整に使用される調整カラーサンプル５０とを示している。
【００２７】
画像形成装置１０は、原稿を光学的に読み取ってその複製画像を記録紙に印刷するコピージョブ、読み取った原稿の画像データをファイルにして保存したり外部装置へ送信したりするスキャンジョブ、ＰＣから送出されたデータに係る画像を記録紙に印刷して出力するプリントジョブなどのジョブを実行する機能を備えた、所謂、複合機である。
【００２８】
また、ユーザから特定色の指定を受け、たとえば、特定色を含む画像を複数枚印刷する途中で、その特定色の測定用パッチを画像形成し、該測定用パッチの色を測定し、特定色の色ずれ量が許容範囲を超えた場合に、警告したり、色ずれを修正したりする機能を備えている。
【００２９】
図２は、画像形成装置１０の概略構成を示している。画像形成装置１０は、当該画像形成装置１０の動作を制御するＣＰＵ（Central Processing Unit）１１と、このＣＰＵ１１に接続されたＲＯＭ（Read Only Memory）１２と、ＲＡＭ（Random Access Memory）１３と、不揮発メモリ１４と、ハードディスク装置１５と、表示部１６と、操作部１７と、ネットワークＩ／Ｆ部１９と、スキャナ部２０と、画像処理部２１と、プリンタ部２２と、ファクシミリ通信部２３と、濃度センサ部２４と、温度センサ部２５と、湿度センサ部２６とを備えて構成されている。
【００３０】
ＣＰＵ１１はＯＳ（Operating System）プログラムをベースとし、その上で、ミドルウェアやアプリケーションプログラムなどが実行される。ＲＯＭ１２には各種のプログラムが格納されており、これらのプログラムに従ってＣＰＵ１１が処理を実行することでジョブの実行など画像形成装置１０の各機能が実現される。ＲＡＭ１３はＣＰＵ１１がプログラムを実行する際に各種のデータを一時的に格納するワークメモリや画像データを格納する画像メモリなどとして使用される。
【００３１】
不揮発メモリ１４は、電源がオフにされても記憶が保持できる書き換え可能なメモリ（フラッシュメモリ）である。不揮発メモリ１４には、装置固有の情報や各種の設定情報などが記憶される。ハードディスク装置１５は、大容量の不揮発の記憶装置であり、ＯＳプログラムや各種アプリケーションプログラム、印刷データや画像データ、ジョブに係る情報履歴、などが保存される。
【００３２】
表示部１６は、液晶ディスプレイ（ＬＣＤ…Liquid Crystal Display）などで構成され、各種の操作、設定に係る内容を表示する機能を果たす。操作部１７は、ユーザからのジョブの投入や設定の変更など、各種の操作を受け付ける機能を果たす。操作部１７は、表示部１６の画面上に設けられて押下された座標位置を検出するタッチパネルのほか、画面外にテンキーや文字入力キー、スタートキーなどを備えて構成される。
【００３３】
ネットワークＩ/Ｆ部１９は、ＬＡＮなどのネットワークを通じて接続されている他の外部装置などと通信を行う。
【００３４】
スキャナ部２０は、原稿を光学的に読み取って画像データを取得する機能を果たす。スキャナ部２０は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００３５】
画像処理部２１は、画像の拡大縮小、回転などの処理のほか、印刷データをイメージデータに変換するラスタライズ処理、画像データの圧縮、伸張処理を行う。
【００３６】
プリンタ部２２は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置などを有し、電子写真プロセスによって画像形成を行う、所謂、レーザープリンタとして構成されている。画像形成は、インクジェット方式や、他の方式でもかまわない。
【００３７】
ファクシミリ通信部２３は、ファクシミリ送信および受信に係る動作を制御する。
【００３８】
濃度センサ部２４は、プリンタ部２２が出力した測定用パッチ上の特定色の各色成分の濃度を検出する。ここでは赤、緑、青のＬＥＤ（Light Emitting Diode）光源からの発射光をフォトダイオードで読み取り、センサの電圧をＬａｂ表色系に変換する。このデータについては、測色計との相関に基づき校正してある。測定用パッチが出力される場所としては、印刷に使用する紙一枚を使用してもよいし、印刷用紙の断裁によって切り落とされる予定の部分（以後、断裁部分とする）を使用してもよいし、感光体ドラムや、中間転写ベルト上を使用してもよい。測定用パッチを出力する場所に応じた位置に濃度センサ部２４は設置される。たとえば通紙経路上や、中間転写ベルトや感光体ドラムの測定パッチを読み取り可能な位置に設置される。
【００３９】
温度センサ部２５は画像形成装置１０内の温度を測定しており、湿度センサ部２６は画像形成装置１０内の湿度を測定している。
【００４０】
図３は、画像形成装置１０が特定色の各色成分の濃度検出（色ずれ検出）に関する設定を行う処理の流れを示す。この処理は印刷前に行われる。画像形成装置１０はユーザによって特定色指定モードの選択を受け付けるまで待機し（ステップＳ４０１；Ｎｏ）、ユーザからの特定色指定モードの選択を受け付けると（ステップＳ４０１；Ｙｅｓ）、ユーザから特定色の指定を受けたり、その微調整などを行う特定色設定処理を行い（ステップＳ４０２）、設定された特定色のデータを記憶する（ステップＳ４０３）。特定色は複数指定されていてもよい。
【００４１】
図３の処理の終了後の印刷を行う際にステップＳ４０２で設定した特定色の色ずれを検出するか否か（特定色確認モードのＯＮ、ＯＦＦ）の選択を受け付ける（ステップＳ４０４）。特定色確認モードＯＦＦの選択を受け付けた場合は（ステップＳ４０４；Ｎｏ）処理を終了する。特定色確認モードＯＮの選択を受け付けた場合は（ステップＳ４０４；Ｙｅｓ）、ステップＳ４０２で設定された特定色の色ずれを検出する際の各種条件の設定をユーザから受けて（ステップＳ４０５）、処理を終了する。
【００４２】
色ずれ検出では、まず濃度センサ部２４が、プリンタ部２２が出力した測定用パッチ上の色を構成する各色成分の濃度を測定する。そして各色成分の濃度からＬａｂ表色系上の位置（色）を特定する。この表色系上での位置を特定することによって、ユーザの指定する特定色と、測定された色の表色系上での色差を色ずれとして検出することができる。
【００４３】
図４は図３のステップＳ４０２における特定色設定処理の流れを示す。
【００４４】
まず、ユーザによる特定色の仮指定を受け付ける（ステップＳ５０１）。ユーザは操作部１７から特定色を仮指定する。特定色（仮指定色）は、スキャナ部２０で原稿を読み取って得た画像データや、予め保存してある画像データ等に基づく画像を画面上に表示し、この表示画像内から選択して指定される。その後、仮指定色の調整を受け付ける（ステップＳ５０２）。仮指定色の調整では、たとえば、明るさや、コントラスト、カラーバランス等について、ユーザから調節を受ける。次に、画像出力する装置自体の個体差、環境変化（温度変化、湿度変化等）、および経時的な変動など、出力条件の差によるハードコピー（紙への出力）の色違いや濃度差をなくすためにプリンタなどの色再現性を校正する制御である安定化制御を実施する（ステップＳ５０３）。本例の安定化制御では、カラー画像を構成する各色成分（たとえば、Ｃ（シアン）、Ｍ（マゼンタ）、Ｙ（イエロ））について同一濃度の画像データを入力した場合に、各色成分が同一濃度で再現(画像形成)されるように色再現性を校正するようになっている。
【００４５】
そして、調整された仮指定色の画像を記録紙上に画像形成したサンプルである、調整カラーサンプル５０を、安定化制御実施後のプリンタ部２２によって出力する（ステップＳ５０４）。ユーザはステップＳ５０２で調整した仮指定色が、所望の特定色と一致するか否かを、調整カラーサンプル５０で確認する。画像形成装置１０は、調整カラーサンプル５０上の仮指定色を特定色に決定して良いか否かの選択をユーザから受け付ける（ステップＳ５０５）。調整カラーサンプル５０上の仮指定色を特定色に決定して良い旨との選択を受けると（ステップＳ５０５；Ｙｅｓ）、現時点の仮指定色をユーザの指定する特定色に決定して（ステップＳ５０６）、処理を終了する。
【００４６】
調整カラーサンプル５０上の仮指定色を特定色に決定しない旨の選択を受けた場合は（ステップＳ５０５；Ｎｏ）、ステップＳ５０２に戻り処理を継続する（仮指定色の再調整）。これにより、検出対象にする特定色が決定する。この方法（安定化制御実施後に特定色を決定する方法）で特定色を決定することにより、プリンタ部２２の色再現性が変化して色ずれが発生してしまった場合でも、安定化制御実施後はプリンタ部２２の色再現性が特定色決定時まで回復し、これにより特定色の色ずれを解消することができる。
【００４７】
図５は、図４の設定を行う際に表示される特定色設定画面３０の表示例を示す。図５の特定色設定画面３０の中央の画像表示エリア３１には、特定色の指定に際して参照される画像が表示されている。画像表示エリアには任意の位置にユーザ操作で移動可能な抽出窓３２が表示されている。画像表示エリア３１の左横の拡大表示エリア３３には、抽出窓３２の部分の画像が拡大表示される。抽出窓内には十字カーソルが表示されており、十字カーソルの中心点の画素の色が調整中仮指定色３４として指定される。仮指定色は複数指定することができ、画面の下方には、複数の仮指定色３５が表示されている。ユーザは複数の仮指定色３５の中からひとつを調整中仮指定色３４として選択し、その色について調整を行う。
【００４８】
特定色設定画面３０の右側上方には、調整中仮指定色３４の明るさや、コントラスト、カラーバランスなどの調整を行うための各種の調整スライダーバー３６が表示されている。これを使用してユーザは調整中仮指定色３４の調整を行う。仮指定色３５の調整が全て調整したら、仮指定色３５の左に表示されている調整カラーサンプル印刷ボタン３８を押下し、仮指定色３５を含む調整カラーサンプル５０を印刷する。ユーザはこの調整カラーサンプル５０上の仮指定色３５を基に、仮指定色３５の再調整を行うか否かを決定する。特定色設定画面３０の右側の下方にはＯＫボタン３７が表示されており、ユーザからＯＫボタン３７の選択を受け付けると、仮指定色３５をユーザの指定する特定色に決定する。
【００４９】
図６は、図３ステップＳ４０５の処理における、その色ずれの検出に係る設定処理の流れを示す。
【００５０】
まず、図４の処理により決定したユーザの指定する特定色に色ずれが発生した場合において、その色ずれを許容できる閾値の設定を受け付ける（ステップＳ６０１）。図７は図６のステップＳ６０１において閾値設定を行う際に表示される閾値決定画面７０の表示例を示す。閾値決定画面７０の中央には、閾値の数値７１と、サンプル許容範囲７２が、下方にはサンプル印刷ボタン７３が表示されている。ユーザからサンプル印刷ボタン７３の選択を受け付けると、画像形成装置１０は図４の処理により決定したユーザの指定する特定色を中心に、色合いを微妙に変化させた複数の色ずれサンプル８１を閾値決定サンプル８０（図８参照）として印刷出力する。閾値決定サンプル８０上の複数の色ずれサンプル８１は、その濃度によって順に配置され、それぞれ下に番号が割り振られている。ユーザは特定色として許容できると思う色ずれサンプル８１の番号の範囲を、サンプル許容範囲７２に指定することで、閾値の数値７１が決定される。なお、閾値の数値７１は、閾値をΔＥで設定した際の数値であり、ユーザが数値を直接入力してもよい。
【００５１】
次に、出力紙での検出動作についての設定を受け付ける（ステップＳ６０２）。これは、測定用パッチを出力するために印刷用紙一枚を使用する方法を設定するか否かである。設定する場合はＯＮ、設定しない場合はＯＦＦが選択される。ＯＮに設定されたときは、紙に印刷された測定用パッチ上の特定色の各色成分を通紙経路上に設置してある濃度センサ部２４で濃度検出する。この方法で出力された測定用パッチは、実際に紙に印刷されるため、精度の高い色ずれ検出が可能となる。この場合、測定用パッチを出力するたびに捨て紙が発生する。
【００５２】
紙間での検出動作についての設定を受け付ける（ステップＳ６０３）。これは、測定用パッチを、感光体ドラムまたは、中間転写ベルト上に出力する方法を設定するか否かである。設定する場合はＯＮ、設定しない場合はＯＦＦが選択される。ＯＮに設定されたときは、感光体ドラムまたは、中間転写ベルト上に出力された測定用パッチ上の特定色の各色成分を濃度センサ部２４で濃度検出する。この方法で出力された測定用パッチは、ステップＳ６０２での方法に比べて色ずれ検出の精度がやや劣る（転写定着の影響があるため）。しかし、紙を使用しないため、色ずれ検出用の紙が発生しないというメリットがある。この場合、濃度センサ部２４は中間転写ベルトや感光体ドラムの測定パッチを読み取り可能な位置に設置されているものを使用する。
【００５３】
断裁部分での検出動作についての設定を受け付ける（ステップＳ６０４）。これは、印刷用紙に断裁し、切り落としてしまう予定の部分がある場合、その部分（断裁部分）に測定用パッチを出力（印刷）する方法を設定するか否かである。設定する場合はＯＮ、設定しない場合はＯＦＦが選択される。ＯＮに設定されたときは、印刷用紙の断裁部分に印刷された測定用パッチ上の特定色の各色成分を通紙経路上に設置してある濃度センサ部２４で濃度検出する。この方法は、紙の使用量を増やすことなく高精度での色ずれ検出ができるが、断裁部分が非常に狭い場合、断裁が行われない場合に関しては、採用することができない。
【００５４】
最後に色ずれ検出タイミングと色ずれが発生した場合の対応についての設定を受け付けて（ステップＳ６０５）動作を終了する。
【００５５】
色ずれ検出を行うタイミングは複数あり、ユーザは各色ずれ検出タイミングについて有効か、無効かを決定したり、色ずれ検出の発生頻度を決定したりする。複数ある色ずれ検出を行うタイミングのうち、ひとつは、ユーザが指定する特定色を印刷する直前であり、本実施の形態では図３のステップＳ４０４でＯＮの選択を受けた場合は自動的に行われる。この場合、特定色を印刷する直前には色ずれを検出するので、特定色について高い精度で印刷することができる。ただし、連続で特定色を印刷する場合は、印刷のたびに毎回連続で測定用パッチを印刷することになるので、特定色の印刷回数が連続する場合は、印刷回数が規定の回数を超えてから測定用パッチを印刷するように設定することができる。
【００５６】
規定の回数とは、大きな色ずれが生じないと想定される上限回数であり、固定的に定めてもよいし、ユーザにより設定が可能であってもよい。また環境に応じて動的に変更してもよい。なお、高温多湿な環境であると、色ずれが発生しやすいので、規定回数を少なくするほうがよい。
【００５７】
色ずれ検出タイミングにはこの他にも、経時的な変化等（温度等も含む）に対応すべく、特定色を印刷していなくとも、最後に安定化制御を行ってから所定の回数印刷実行後（通常安定化印刷規定回数だけ印刷実行後）に色ずれ検出を行い、安定化制御する方法がある。この方法では、ユーザが指定する特定色の色ずれ検出は行わなくてもよい。なお、本実施の形態では、温度センサ部２５の測定する温度、または湿度センサ部２６が測定する湿度が変化したとき、ＣＰＵ１１がその変化により画像出力に色ずれなどの影響があるか否かを判断し、影響があると判断した場合にも安定化制御を行う。
【００５８】
色ずれ検出時には、濃度センサ部２４が測定用パッチの色の各色成分の濃度を検出し、検出された各色成分の濃度から測定用パッチの色を求め、表色系上でのこの測定用パッチの色と特定色との色差を求める。ＣＰＵ１１はその色差と閾値とを比較する。検出時の対応とは、色ずれ検出した色が閾値をオーバーする色ずれを起こしているとＣＰＵ１１が判定した場合、安定化制御を実施、または警告表示を行うことである。警告表示を行う際には、画像出力を一旦停止する。
【００５９】
安定化制御が実施された後は、自動的に特定色の測定用パッチを出力し、その出力した特定色の色ずれ検出を行う。その特定色の色ずれ検出において閾値をオーバーする色ずれを起こしているとＣＰＵ１１が判定した場合は、画像出力を一旦停止し、安定化制御を実施したのに色再現性が校正されなかったものとしてユーザに警告表示を行う。
【００６０】
図９は図６においての設定処理等に係る色ずれ検出設定画面９０を示す。色ずれ検出設定画面９０では表示されているそれぞれの項目について、ユーザによるＯＮ/ＯＦＦの切り替えや、数値の入力等により、色ずれの検出に係る条件を設定することができる。以下、色ずれ検出設定画面９０の上方に設置されている項目から順番に説明する。
【００６１】
特定色確認モード９１では、図３のステップＳ４０４に係るＯＮ/ＯＦＦの選択設定をユーザから受け付ける。この項目は、ユーザの指定した特定色について色ずれ検出を行うか否かを決定するものであり、ＯＮに設定されたときに色ずれ検出を行う。確認特定色９２は図３のステップＳ４０３で記憶されたユーザの指定した複数の特定色のうち、どの特定色について色ずれ検出を行うかを決定する。
【００６２】
図９では、特定色１と特定色２が選択されている。出力場所９３では、図６のステップＳ６０２、ステップＳ６０３に係る測定用パッチを出力する場所を選択する。図９では紙間での出力が選択されている。断裁時確認９４では、図６のステップＳ６０４における測定用パッチを断裁代に印刷可能な場合に、優先的に断裁代に印刷するか否かの設定をユーザから受け付ける。断裁を行うか否か、また断裁代の大きさについての設定は、別の画面で行われる。
【００６３】
連続測定回避設定９５では、特殊色を含む画像データの印刷が連続した場合において、測定用パッチの印刷をしない回数を設定する。たとえば、回数を１０回に設定すると、まず特定色を印刷する初回の直前に測定用パッチを印刷する。その後印刷する画像に特定色が含まれていた場合は、特定色を含む印刷の連続と判断し、連続１０回目の印刷終了後まで測定用パッチを印刷しない。測定用パッチの出力回数が減ることで、トナーの消費量を抑えることができる。
【００６４】
通常安定化印刷規定枚数９６では、ユーザの指定する特定色を印刷していなくとも、最後に安定化制御を行ってから次回安定化制御を行うまでの印刷回数（通常安定化印刷規定回数）を設定する。これにより、画像形成装置１０の経時的な変化等（温度等も含む）に対応することができる。
【００６５】
アクション９７では、測定用パッチの色ずれ検出した色が図６ステップＳ６０１で設定した閾値をオーバーする色ずれを起こしているとＣＰＵ１１が判定した場合に安定化制御を実施するか、警告表示を行うかの選択をユーザから受け付ける。以上をもって図９の説明を終了する。
【００６６】
図１０は、図３のステップ４０４での特定色確認モードがＯＮの時に、画像形成装置１０が安定化制御を行う処理の流れを示す。この処理は繰り返し行われる。
【００６７】
まず、最後に安定化制御を行ってから印刷した回数が、通常安定化印刷規定回数に到達したら（ステップＳ７０１；Ｙｅｓ）、安定化制御を行い（ステップＳ７０３）、処理を終了する。最後に安定化制御を行ってから印刷した回数が、通常安定化印刷規定回数に満たなければ（ステップＳ７０１；Ｎｏ）、ステップＳ７０２に進む。所定の環境変化（一定以上の温度や湿度の変化等）が起きた場合は（ステップＳ７０２；Ｙｅｓ）、安定化制御を行い（ステップＳ７０３）、処理を終了する。所定の環境変化がなければ（ステップＳ７０２；Ｎｏ）、ステップＳ７０４に進む。
【００６８】
ここで、図６のステップＳ６０５で設定した、特定色の色ずれ検出タイミング（色ずれ確認タイミング）であるのならば（ステップＳ７０４；Ｙｅｓ）、ステップＳ７０５に進む。この時、特定色の色ずれが検出され、特定色の色ずれが、図６のステップ６０１で設定した閾値から外れているか否かをＣＰＵ１１が判定する。図６のステップＳ６０５で設定した特定色の色ずれ検出タイミングでなければ（ステップＳ７０４；Ｎｏ）、処理を終了する。特定色の色ずれが、図６のステップ６０１で設定した閾値から外れていないと判定されたら（ステップＳ７０５；Ｙｅｓ）、処理を終了する。特定色の色ずれが、図６のステップ６０１で設定した閾値から外れていると判定されたら（ステップＳ７０５；Ｎｏ）、ステップＳ７０６に進む。ここでは、測定用パッチを図６のステップＳ６０２、ステップＳ６０３、ステップＳ６０４で設定した場所に出力し、濃度センサ部２４が測定用パッチ上の色の各色成分の濃度を検出し、表色系上での特定色との色差を求め、その色差が図６のステップＳ６０１で設定した閾値から外れているか否かをＣＰＵ１１が判定している。
【００６９】
その後安定化制御を行う（ステップＳ７０６）。ここでは図６のステップＳ６０５で、警告ではなく安定化制御を行うように設定しているものとする。安定化制御を行った後、再度測定用パッチを図６のステップＳ６０２、ステップＳ６０３、ステップＳ６０４で設定した場所に出力し、特定色の濃度を検出した後、その濃度が図６のステップＳ６０１で設定した閾値から外れているか否かを判定する（ステップＳ７０７）。再度検出した特定色の濃度が、図６のステップＳ６０１で設定した閾値から外れていなければ（ステップＳ７０７；Ｙｅｓ）、安定化制御を無事に完了したとし、処理を終了する。再度検出した特定色の濃度が、図６のステップＳ６０１で設定した閾値から外れていた場合は（ステップＳ７０７；Ｎｏ）、画像出力を停止し、安定化制御が未完了の警告をして（ステップＳ７０８）、処理を終了する。
【００７０】
ステップＳ７０３の安定化制御は、特定色の色ずれを原因とした安定化制御ではないので、ステップＳ７０７のような色ずれの再検出は行わない。
【００７１】
このように、本発明では、コーポレートカラーなどに使用される特定色を指定し、特定色の色ずれを検出し、色ずれが発生していた場合、安定化制御を行うことで、印刷する際に特定色の色ずれによる印刷不良紙の発生を防ぐことができる。
【００７２】
以上、本発明の実施の形態を図面によって説明してきたが、具体的な構成は実施の形態に示したものに限られるものではなく、本発明の要旨を逸脱しない範囲における変更や追加があっても本発明に含まれる。
【００７３】
本発明の実施の形態において説明した色ずれ検出タイミングに限らず、他のタイミングで濃度を検出してもよい。たとえば、印刷を行わなくとも、ユーザの操作によって色ずれ検出を開始してもよい。
【符号の説明】
【００７４】
１０…画像形成装置
１１…ＣＰＵ
１２…ＲＯＭ
１３…ＲＡＭ
１４…不揮発メモリ
１５…ハードディスク装置
１６…表示部
１７…操作部
１９…ネットワークＩ／Ｆ部
２０…スキャナ部
２１…画像処理部
２２…プリンタ部
２３…ファクシミリ通信部
２４…濃度センサ部
２５…温度センサ部
２６…湿度センサ部
３０…特定色設定画面
３１…画像表示エリア
３２…抽出窓
３３…拡大表示エリア
３４…調整中仮指定色
３５…仮指定色
３６…調整スライダーバー
３７…ＯＫボタン
３８…調整カラーサンプル印刷ボタン
５０…調整カラーサンプル
７０…閾値決定画面
７１…閾値の数値
７２…サンプル許容範囲
７３…サンプル印刷ボタン
８０…閾値決定サンプル
８１…色ずれサンプル
９０…色ずれ検出設定画面
９１…特定色確認モード
９２…確認特定色
９３…出力場所
９４…断裁時確認
９５…連続測定回避設定
９６…通常安定化印刷規定回数
９７…アクション
【図１】
0005724664.tif 000002
【図２】
0005724664.tif 000003
【図３】
0005724664.tif 000004
【図４】
0005724664.tif 000005
【図５】
0005724664.tif 000006
【図６】
0005724664.tif 000007
【図７】
0005724664.tif 000008
【図８】
0005724664.tif 000009
【図９】
0005724664.tif 000010
【図１０】
0005724664.tif 000011